(57)【要約】【課題】  装着しているカテーテルを外観上自然に見えるように体の外へ逃がすことができるズボンを提供する。【解決手段】  前身頃１１と後身頃１２とを有し、前身頃１１には、着用者の股上に相当する部位１３に切欠部１４が設けられると共に、切欠部１４を被覆する被覆布部１５が設けられたズボン１０において、切欠部１４は略方形状に形成され、被覆布部１５は切欠部１４の下端部１６に沿って前身頃１１に縫着され、切欠部１４の側方端縁部において折曲可能に形成されている。【選択図】  図１
0003205023.tif 000002
【実用新案登録請求の範囲】
【請求項１】
前身頃と後身頃とを有し、前記前身頃には、着用者の股上に相当する部位に切欠部が設けられると共に、前記切欠部を被覆する被覆布部が設けられたズボンにおいて、
前記切欠部は略方形状に形成され、前記被覆布部は前記切欠部の下端部に沿って前記前身頃に縫着され、前記切欠部の側方端縁部において折曲可能に形成されていることを特徴とするズボン。
【請求項２】
前記被覆布部と前記前身頃には、夫々、互いに開閉可能に係止する係止部が設けられていることを特徴とする請求項１記載のズボン。
【請求項３】
前記係止部は、前記前身頃の上端部に沿って設けられていることを特徴とする請求項２記載のズボン。
【請求項４】
前記切欠部は前記前身頃の中央部から側方へ所定寸法偏位して形成され、前記被覆布部は前記切欠部の端部において折り返すことによって、前記切欠部を開放するように構成されていることを特徴とする請求項１〜３のいずれか１項に記載のズボン。
【請求項５】
前記切欠部は前記前身頃の中央部に形成され、前記被覆布部は前記前身頃の股上全域を被覆するように構成され、前記被覆布部は前記切欠部の両端部において、夫々、折り返すことによって、前記切欠部を開放するように構成されていることを特徴とする請求項１〜３のいずれか１項に記載のズボン。
【請求項６】
前記被覆布部にはポケット部が設けられていることを特徴とする請求項１〜５のいずれか１項に記載のズボン。
【考案の詳細な説明】
【技術分野】
【０００１】
本考案は、カテーテルを違和感なく外に通すことができるズボンに関するものである。
【背景技術】
【０００２】
従来より、体内の器官等に挿入し、液体の排出や注入等を行なうための細い管として、カテーテルが広く知られている。カテーテルの中でも、患者の体内に長時間留置する留置カテーテルにあっては、患者の着用している服の隙間からカテーテルを取り出す必要がある。
このような場合において、例えば、患者が普通のズボンをはく際に、カテーテルが邪魔になり、腰の高さまでズボンを履くのが難しいという問題があった。
【０００３】
そこで、前記課題を解決するために、例えば特許文献１には、左折り返し部分と右折り返し部分を有する後ろズボンの上部に紐通しを設けて紐を通し、左折り返し部分と右折り返し部分にホックを縫着し、股下より下部を縫着した前ズボンの上部に紐通しを設けて左紐、右紐を通し、前ズボンの裏側にホックを縫着したことを特徴とする介護用ズボンが開示されている。
特許文献１に記載の技術にあっては、前ズボンが股下より下部において縫着されているため、前ズボンを縫着された前記下部に沿って前方へ開放するように構成されている。従って、カテーテルを前ズボンと後ろスボンとの間から通して患者の外側方へ逃がすことができる。
【０００４】
しかし、特許文献１に記載の技術にあっては、カテーテルを脚に沿った方向へ逃がすことができず、カテーテルが不自然な位置から外に飛び出て見えるという不具合があった。
【特許文献１】公開特許公報  特開２００２−２２７０１４号公報
【考案の開示】
【考案が解決しようとする課題】
【０００５】
本考案は、以上のような従来からの不具合を解消するためのものであって、その課題は、装着しているカテーテルを外観上自然に見えるように体の外へ逃がすことができるズボンを提供することにある。
【課題を解決するための手段】
【０００６】
前記課題を解決するために、請求項１に記載の考案にあっては、前身頃と後身頃とを有し、前記前身頃には、着用者の股上に相当する部位に切欠部が設けられると共に、前記切欠部を被覆する被覆布部が設けられたズボンにおいて、前記切欠部は略方形状に形成され、前記被覆布部は前記切欠部の下端部に沿って前記前身頃に縫着され、前記切欠部の側方端縁部において折曲可能に形成されていることを特徴とする。
【０００７】
従って、前記被覆布部は前記切欠部の側方端縁部において折曲しうる。
【０００８】
請求項２に記載の考案にあっては、前記被覆布部と前記前身頃には、夫々、互いに開閉可能に係止する係止部が設けられていることを特徴とする。
【０００９】
従って、前記被覆布部と前記前身頃とは、前記係止部によって、互いに開閉可能に係止される。
【００１０】
請求項３に記載の考案にあっては、前記係止部は、前記前身頃の上端部に沿って設けられていることを特徴とする。
【００１１】
請求項４に記載の考案にあっては、前記切欠部は前記前身頃の中央部から側方へ所定寸法偏位して形成され、前記被覆布部は前記切欠部の端部において折り返すことによって、前記切欠部を開放するように構成されていることを特徴とする。
【００１２】
従って、前記被覆布部を前記切欠部の端部において折り返すことによって、前記切欠部が開放される。
【００１３】
請求項５に記載の考案にあっては、前記切欠部は前記前身頃の中央部に形成され、前記被覆布部は前記前身頃の股上全域を被覆するように構成され、前記被覆布部は前記切欠部の両端部において、夫々、折り返すことによって、前記切欠部を開放するように構成されていることを特徴とする。
【００１４】
従って、前記被覆布部を前記切欠部の両端部において、夫々、折り返すことによって、前記切欠部が開放される。
【００１５】
請求項６に記載の考案にあっては、前記被覆布部にはポケット部が設けられていることを特徴とする。
【考案の効果】
【００１６】
請求項１〜６に記載のズボンにあっては、前記被覆布部は前記切欠部の側方端縁部において折曲しうるので、カテーテルを装着した前記着用者が前記ズボンを装着した場合には、前記切欠部の側方端縁部からカテーテルをズボンの外側方へ出した状態で前記被覆布部によって前記切欠部を被覆することができる。
従って、カテーテルを脚に沿った方向へ逃がすことができ、その結果、装着しているカテーテルを外観上自然に見えるように体の外へ逃がすことができるズボンを提供することができる。
【００１７】
請求項２に記載のズボンにあっては、前記被覆布部と前記前身頃とは、前記係止部によって、互いに開閉可能に係止されるので、前記被覆布部を前記前身頃に固定することができる。
【００１８】
特に、請求項３に記載のズボンにあっては、前記係止部は、前記前身頃の上端部に沿って設けられているので、前記着用者が装着しているカテーテルを無理なく体の外に逃がすことができると共に、前記被覆布部を前記着用者の腰部に沿って確実に固定することができる。
【００１９】
請求項４に記載のズボンにあっては、前記被覆布部を前記切欠部の端部において折り返すことによって、前記切欠部が開放されるので、カテーテルを装着した前記着用者が前記ズボンを装着した場合には、前記切欠部の側方端縁部からカテーテルをズボンの外側方へ出した状態で前記被覆布部によって前記切欠部を被覆することができる。その結果、カテーテルを片脚に沿った方向へ逃がすことができる。
【００２０】
請求項５に記載のズボンにあっては、前記被覆布部を前記切欠部の両端部において、夫々、折り返すことによって、前記切欠部が開放されるので、カテーテルを装着した前記着用者が前記ズボンを装着した場合には、前記切欠部の両端部からカテーテルをズボンの外側方へ出した状態で前記被覆布部によって前記切欠部を被覆することができる。その結果、カテーテルを両脚に沿った方向へ逃がすことができる。
【００２１】
請求項６に記載のズボンにあっては、前記被覆布部にはポケット部が設けられているので、小物等を前記ポケット部に収納することができる。
【図面の簡単な説明】
【００２２】
【図１】図１は、本考案に係るズボンの一実施の形態を示す斜視図である。
【図２】図２は、本考案に係るズボンの一実施の形態において、被覆布部を折り返した状態を示す斜視図である。
【図３】図３は、本考案に係るズボンの他の実施の形態を示す斜視図である。
【図４】図４は、本考案に係るズボンの他の実施の形態において、被覆布部を折り返した状態を示す斜視図である。
【考案を実施するための最良の形態】
【００２３】
以下、添付図面に示す実施の形態に基づき、本考案を詳細に説明する。
図１及び図２に示すように、本実施の形態に係るズボン１０は、全体布製であって、前身頃１１と後身頃１２とを有し、前身頃１１には、着用者の股上に相当する股上相当部１３に切欠部１４が設けられると共に、切欠部１４を被覆する被覆布部１５が設けられている。
図１及び図２に示すように、本実施の形態に係る切欠部１４は縦長長方形状に形成され、被覆布部１５は切欠部１４の下端部１６に沿って前身頃１１に縫着され、図２に示すように、切欠部１４の側方端縁部１７において折曲可能に形成されている。図１及び図２に示すように、本実施の形態に係る切欠部１４の上端部は、前身頃１１の上端部１９に一致して形成されている。
特に、図１及び図２に示すように、本実施の形態に係る切欠部１４は前身頃１１の中央部２０から側方（図１及び図２中左方）へ所定寸法偏位して形成され、被覆布部１５は切欠部１４の側方端縁部１７において折り返すことによって、切欠部１４を開放するように構成されている。
【００２４】
また、図１及び図２に示すように、本実施の形態に係る被覆布部１５と前身頃１１とには、夫々、互いに開閉可能に係止する係止部１８、１８が設けられている。図１及び図２に示すように、本実施の形態に係る係止部１８、１８は、前身頃１１の上端部１９に沿って設けられている。
また、図１及び図２に示すように、本実施の形態に係る被覆布部１５にはポケット部２１が設けられている。
【００２５】
以上の構成を有する第一の実施の形態に係るズボン１０に対して、図３及び図４に示す第二の実施の形態に係るズボン３０にあっては、切欠部２３は第一の実施の形態に係る切欠部１４に比して大きな面積を有する横長長方形状であって、前身頃１１の中央部２０から両側方に跨って形成されている。
また、図３及び図４に示すように、本実施の形態に係る被覆布部１５は前身頃１１の股上相当部１３全域を被覆するように構成され、図４に示すように、被覆布部１５は切欠部２３の両端部２２、２２において、夫々、折り返すことによって、切欠部２３を開放するように構成されている。
他の構成は第一の実施の形態に係るズボン１０と同一である。
【００２６】
以下、本実施の形態に係るズボン１０の作用について説明する。
本実施の形態に係るズボン１０を使用する場合には、カテーテルを装着した着用者がズボン１０を着用する。
この際、図１及び図２に示すように、本実施の形態に係るズボン１０にあっては、被覆布部１５は切欠部１４の側方端縁部１７において折曲しうるので、カテーテルを装着した前記着用者がズボン１０を装着した場合には、切欠部１４の側方端縁部１７からカテーテルをズボンの外側方へ出した状態で被覆布部１５によって切欠部１４を被覆することができる。
従って、カテーテルを脚に沿った方向へ逃がすことができ、その結果、装着しているカテーテルを外観上自然に見えるように体の外へ逃がすことができるズボンを提供することができる。
【００２７】
また、図１及び図２に示すように、本実施の形態に係るズボン１０にあっては、被覆布部１５と前身頃１１とは、係止部１８によって、互いに開閉可能に係止されるので、被覆布部１５を前身頃１１に固定することができる。
【００２８】
特に、図１及び図２に示すように、本実施の形態に係るズボン１０にあっては、係止部１８は、前身頃１１の上端部１９に沿って設けられているので、前記着用者が装着しているカテーテルを無理なく体の外に逃がすことができると共に、前記被覆布部を前記着用者の腰部に沿って確実に固定することができる。
【００２９】
また、図１及び図２に示すように、本実施の形態に係るズボン１０にあっては、被覆布部１５を切欠部１４の側方端縁部１７において折り返すことによって、切欠部１４が開放されるので、カテーテルを装着した前記着用者がズボン１０を装着した場合には、切欠部１４の側方端縁部１７からカテーテルをズボン１０の外側方へ出した状態で被覆布部１５によって切欠部１４を被覆することができる。その結果、カテーテルを片脚に沿った方向へ逃がすことができる。
【００３０】
図１及び図２に示すように、本実施の形態に係るズボン１０にあっては、被覆布部１５にはポケット部２１が設けられているので、小物等をポケット部２１に収納することができる。
【００３１】
また、図３及び図４に示すように、本考案の第二の実施の形態に係るズボン３０にあっては、被覆布部１５を切欠部２３の両端部２２、２２において、夫々、折り返すことによって、切欠部２３が開放されるので、カテーテルを装着した前記着用者がズボン３０を装着した場合には、切欠部１４の両端部２２、２２から、夫々、カテーテルをズボン３０の外側方へ出した状態で被覆布部１５によって切欠部２３を被覆することができる。その結果、カテーテルを両脚に沿った方向へ逃がすことができる。
【００３２】
本実施の形態に係る切欠部１４、２３の上端部は、前身頃１１の上端部１９に一致して形成されている場合を例に説明したが、前記構成に限定されず、前身頃１１の上端部１９から所定寸法離間して、股上相当部１３の略中央に形成されていてもよい。
【産業上の利用可能性】
【００３３】
本考案は、ズボンに広く適用可能であり、産業上利用可能性を有している。
【符号の説明】
【００３４】
１０、３０：ズボン
１１：前身頃
１２：後身頃
１３：股上相当部
１４、２３：切欠部
１５：被覆布部
１６：下端部
１７：側方端縁部
１８：係止部
１９：上端部
２０：中央部
２１：ポケット部
２２：両端部
２３：切欠部
【図１】
0003205023.tif 000003
【図２】
0003205023.tif 000004
【図３】
0003205023.tif 000005
【図４】
0003205023.tif 000006